(57)【要約】【課題】複数の収容物を収容可能な収容体を安価に製造することを可能とする収容体の製造方法を提供する。【解決手段】本発明は、収容物注出用の注出口７と連通する溶着部５を複数個、直列状に配設したベース部材３に対し、２枚のシート部材を複数個の溶着部５のそれぞれの溶着面に取着して複数の容器２０を有する収容体１を製造する方法であって、ベース部材３を保持し、直列状に配設された溶着部５の溶着面に対し、２枚のシート部材を、各溶着部を介在した状態で対向配置し、各シート部材を夫々の溶着部５の溶着面に溶着する工程を有することを特徴とする。【選択図】図２
2010115903.tif 000002
【特許請求の範囲】
【請求項１】
収容物注出用の注出口と連通する溶着部を複数個、直列状に配設したベース部材に対し、２枚のシート部材を前記複数個の溶着部のそれぞれの溶着面に取着して複数の容器を有する収容体を製造する方法であって、
前記ベース部材を保持し、前記直列状に配設された溶着部の溶着面に対し、前記２枚のシート部材を、各溶着部を介在した状態で対向配置し、各シート部材を夫々の溶着部の溶着面に溶着する工程を有することを特徴とする収容体の製造方法。
【請求項２】
前記２枚のシート部材は、前記溶着部を介在する以外の周囲領域が予め溶着された状態にあり、
前記溶着面に対する溶着工程の後、注出口毎に密閉された容器が形成されることを特徴とする請求項１に記載の収容体の製造方法。
【請求項３】
前記２枚のシート部材は、隣接する容器の間に空洞状部が形成されるように溶着されることを特徴とする請求項１又は２に記載の収容体の製造法。
【請求項４】
前記ベース部材は、前記直列状に配設された溶着部間が折り曲げ可能となっており、
前記複数の容器は、前記ベース部材を折り曲げることで、直列状から並列状に変更配置可能であることを特徴とする、請求項１から３のいずれか１項に記載の製造方法によって製造された収容体。
【発明の詳細な説明】
【技術分野】
【０００１】
本発明は、例えば、インク、薬品等の化学物質や食品などの流動体（以下、収容物と称する）を収容する収容体に関する。
【背景技術】
【０００２】
従来、上記したような収容物を収容する収容体として、合成樹脂製のシート（プラスチックフイルム）を重ねて溶着（熱溶着）したものが知られている。このような収容体は、事務用品分野、医療分野、食品分野、化粧品やサニタリー用品などの日用品分野等、様々な分野で使用されている。通常、このような収容体には、合成樹脂で一体成形された注出部材（スパウトとも称される）を前記合成樹脂製のシートに一体的に熱溶着し、注出部材に形成された注出口（口部）を介して、内部に収容された収容物を注出するものも知られている。
【０００３】
また、そのような注出部材には、その使用用途によって、一旦開封した後、再封止できる再封止機能を備えていることを要求されることがある。一般的に、上記したような収容体は、例えば、特許文献１に開示されているように、樹脂成型された注出部材に、断面が円形或いは舟形の溶着部を形成しておき、この部分に合成樹脂シートを熱溶着することで形成されている。
【０００４】
この場合、収容物は、例えば、注出部材の注出口部分に充填用の針を差し込んで収容体内に充填することが可能である。また、このように収容物を充填した収容体は、例えば、外部装置（事務用品の分野であればプリンタのような外部装置）に設置するような構成であれば、外部装置に組み込まれているケーシング内、或いは、外部装置等に対して着脱されるケーシング内にセットされ、そして、前記注出部材の注出口部分に注出用の針を差し込んで、収容物を注出して所定の箇所に供給がなされる。
【特許文献１】特開２００６−８１３８号
【発明の開示】
【発明が解決しようとする課題】
【０００５】
ところで、上記したような従来の収容体は、１つの収容体に１つの注出部材を取着した構成であるため、製造効率が悪く、コストが高くなるという問題がある。すなわち、注出部材には、シート部材が溶着される溶着部が設けられており、通常、この溶着部に対して、シート部材を介在させてヒートバーのような溶着部材を圧着して収容体が製造されることから、１つの収容体毎に注出部材が設けられている構成では、溶着コストが高くなってしまい、結果として、収容体のコストも高くなってしまう。
【０００６】
また、上記のような構成では、外部装置のケーシング（外部装置に対して着脱されるケーシングを含む）は、１種類の収容物を収容した単体の収容体を装着する構造となってしまい、複数の収容物を収容した収容体を装着することはできない。このため、外部装置として、複数の収容物の供給を考慮した場合、ケーシングの設置個数がその分、多くなったり、或いは、その設置スペースを考慮すると、装置全体が大型化してしまうという問題が生じてしまう。
【０００７】
本発明は、上記した問題に着目してなされたものであり、複数の収容物を収容可能な収容体を安価に製造することを可能にする収容体の製造方法、及びそのような製造方法によって製造される収容体を提供することを目的とする。
【課題を解決するための手段】
【０００８】
上記した目的を達成するために、本発明は、収容物注出用の注出口と連通する溶着部を複数個、直列状に配設したベース部材に対し、２枚のシート部材を前記複数個の溶着部のそれぞれの溶着面に取着して複数の容器を有する収容体を製造する方法であって、前記ベース部材を保持し、前記直列状に配設された溶着部の溶着面に対し、前記２枚のシート部材を、各溶着部を介在した状態で対向配置し、各シート部材を夫々の溶着部の溶着面に溶着する工程を有することを特徴とする。
【０００９】
上記した収容体の製造方法では、直列状に溶着部を形成したベース部材に対し、夫々の溶着部を挟持するように２枚のシート部材を対向配置し、この状態で溶着部の溶着面に対して溶着を行うため、一度の溶着工程で複数の容器を一体的に形成することが可能となり、製造工程の効率化が図れるようになる。
【００１０】
また、このような製造工程によって製造される収容体は、ベース部材に対して直列状に容器が配置されることとなるが、ベース部材を折り曲げ可能と構成することで、容器の配置状態を変更することが可能となる。
【発明の効果】
【００１１】
本発明の収容体の製造方法によれば、複数の収容物を収容可能な収容体を安価に製造することが可能となる。
【発明を実施するための最良の形態】
【００１２】
以下、本発明の実施形態について、添付図面を参照して具体的に説明する。  
図１から図４は、本発明の第１の実施形態を示す図であり、図１（ａ）は、溶着部を有するベース部材の構成を示す斜視図、図１（ｂ）は、ベース部材を折り曲げた状態を示す斜視図、図２は、ベース部材に容器を装着して収容体となった状態を示す斜視図、図３は、図２に示す収容体において溶着部を示した側面図、そして、図４は、図２に示す収容体のベース部材を折り曲げた状態を示す図である。
【００１３】
本発明に係る収容体は、ベース部材、及びこのベース部材に装着される複数の容器を備えている。本実施形態では、図１から図４に示すように、収容体１は、板状のベース部材３と、このベース部材３に装着される複数の容器（本実施形態では、容器は２つ設けられる）２０とを備えている。
【００１４】
図１に示すように、ベース部材３は、矩形で薄板状の外観形状を有しており、例えば、ポリエチレン、ポリプロピレン等の合成樹脂によって一体形成されている。ベース部材３には、収容物が収容される容器２０を、個別に複数個装着可能とする溶着部５と、溶着部５に装着された各容器２０内の収容物を、それぞれ注出可能にする注出口７が一体的に形成されている。
【００１５】
前記溶着部５は、ベース部材３の裏面側に突出するように形成されており、断面が舟形形状に形成されて、容器２０を構成する柔軟な合成樹脂シート（シート部材）が溶着される表面形状を備えている。溶着部５には、容器２０に収容された収容物を通過させる連通孔６が形成されており、この連通孔は、ベース部材３の表面側に形成される注出口７と連結されている。
【００１６】
また、前記溶着部５は、図１に示すように、矩形のベース部材３に対して、長手方向（矢印Ｘ方向）に沿って直列状に配置されており、後述するように形成される容器２０が容易に製造可能となっている。
【００１７】
本実施形態の注出口７は、ベース部材３の表面に開口する孔部として構成されており、夫々の注出口７は、溶着部５に形成された連通孔６と連結されている。この場合、注出口７の開口部は、ベース部材３の表面と面一状に形成されており、例えば、ゴムのような弾性体をその内部に封入し、表面の開口部に薄膜７ａを被着して構成することが可能である。
【００１８】
前記溶着部５の溶着面には、容器２０を構成するための柔軟な合成樹脂シートが溶着される。具体的には、各溶着部５に装着される容器２０は、予め２枚の柔軟な合成樹脂シートを重ねてその周囲を溶着しておき、これを各溶着部の表面に溶着することによって作成される。
【００１９】
ここで、図５から図８を参照して、上記した構成の収容体１を作成する製造工程について具体的に説明する。
【００２０】
前記ベース部材３の表面には、支持穴８が複数箇所形成されている。この複数の支持穴８は、図５に示すように、２枚重ねて周囲が溶着された状態にある合成樹脂シート２１Ａ，２１Ｂを、溶着部５の溶着面に溶着する際、溶着装置５０に突設された固定治具５１に係合させてベース部材３を位置決め保持する役目を果たす。
【００２１】
この場合、２枚の柔軟な合成樹脂シート２１Ａ，２１Ｂは、その周囲領域、具体的には、図５の白抜きで示した上辺２１ｄを除いて、容器２０の内部空間を規定する周囲（縦辺２１ａ及び底辺２１ｂ）がヒートバーによって予め溶着されている。なお、隣接する容器２０の間となる底辺部分２１ｃについては、予め溶着しておいても良いし、溶着しておかなくても良い。また、重ねた２枚の合成樹脂シート２１Ａ，２１Ｂの周囲を溶着する工程については、縦辺、横辺のいずれを先に溶着しても良いし、一度に溶着しても良い。
【００２２】
このように溶着された２枚の合成樹脂シート２１Ａ，２１Ｂは、上辺部分が開口した状態（隣接する溶着部５が介在される以外の周囲領域が溶着された状態）となっており、このような合成樹脂シートを、固定治具５１にセットされたベース部材３に対して、隣接する溶着部５に被せ、溶着部を介在するように対向配置する（複数の容器２０が形成された袋体のセット）。図５は、袋体がセットされた状態を示しており、このような袋体のセットは、機械的に行うものであっても良いし、手動で行うものであっても良い。
【００２３】
次に、図５に示す上辺２１ｄの領域（この領域は、図１の矢印Ｘ方向に沿って直列状になっている）を、図６（ａ）に示すような一対のヒートバー５３，５４によって、図１の矢印Ｘ方向と直交する方向Ｙで押圧処理する。この場合、各ヒートバー５３，５４の対向面には、各溶着部５の表面を圧接するように、凹んだ湾曲面５３ａ，５４ａが形成されると共に、それ以外の部分は、両ヒートバーが矢印Ｙ方向に接近しても相手方のヒートバーに接触しないように平坦面となっている。このため、図６（ｂ）に示すように、両ヒートバー５３，５４を互いに矢印Ｙ方向に押圧すると、各溶着部５の表面が熱によって溶着され、それ以外の領域は、未溶着となる（図６（ｂ）及び（ｃ）参照）。
【００２４】
次に、溶着部５以外の上辺２１ｄの領域を、図７（ａ）に示すような一対のヒートバー５５，５６によって矢印Ｙ方向に押圧処理する。この場合、各ヒートバー５５，５６の対向面には、各溶着部５の表面から離間して凹んだ湾曲面５５ａ，５６ａが形成されると共に、それ以外の部分は、両ヒートバーが矢印Ｙ方向に接近した際、相手方のヒートバーに密着される平坦面となっている。このため、図７（ｂ）に示すように、両ヒートバー５５，５６を互いに矢印Ｙ方向に押圧すると、各溶着部５の表面以外の上辺２１ｄが溶着される（図７（ｂ）及び（ｃ）参照）。
【００２５】
そして、次に、上記したように溶着された上辺２１ｄの領域は、図８（ａ），（ｂ）に示すように、冷却バー５７，５８によって押圧され、冷却される。この場合、各冷却バー５７，５８の対向面には、各溶着部５の表面を圧接するように、凹んだ湾曲面５７ａ，５８ａが形成され、それ以外の部分も相手方の冷却バーに密着される平坦面となっている。このため、図８（ｂ）に示すように、両冷却バー５７，５８を互いに矢印Ｙ方向に押圧すると、上記した押圧工程によって溶着された上辺２１ｄの領域が冷却される。
【００２６】
なお、上辺２１ｄの領域を溶着するに際しては、上記したように、最初に溶着部５の部分を溶着しておき、次に、溶着部５以外の部分を溶着しても良いし、一度の押圧工程で上辺２１ｄの領域を溶着しても良い。
【００２７】
これにより、図２及び図３に示すような複数の容器２０を備えた収容体１を、簡単な溶着工程で一度に製造することが可能となる。
【００２８】
なお、溶着部５に装着される容器２０は、上記したように、２枚の合成樹脂シート２１Ａ，２１Ｂを重ね周囲領域を溶着した構成となっているが、それ以外にも、更に複数枚の合成樹脂シートを重ねた、いわゆる自立体形式（底面及び側面が形成された容器）に構成されていても良い。
【００２９】
そして、このように構成された各容器２０の内部空間には、例えば、注出口７に注入針を刺し込んで、収容物を充填することが可能である。この場合、注出口７に注入針を刺し込んで引き抜くと、内部に封入された弾性体の押圧力によって刺し込み部分は閉塞されるようになっている。もちろん、それ以外にも、合成樹脂シートの周囲の一部を未溶着状態としておき、収容物を充填した後に、その部分を溶着しても良いし、予め収容物を充填した状態の合成樹脂シートを溶着部５に溶着しても良い。
【００３０】
また、本実施形態の構成では、前記板状に形成されたベース部材３に、それ自身を折り曲げ可能にする薄肉厚部９が形成されている。この薄肉厚部９は、ベース部材３に対してＸ方向と直交する方向に溝９ａを形成することで、一側面側（側面３ａ，３ｂ側）に形成されている。この場合、成型する上で、他側面側にも薄肉厚部９ｂが形成されるが、この薄肉厚部９ｂは、ベース部材３を折り曲げる際に破断される部分となる。このため、薄肉厚部９ｂの肉厚は、容易に破断できるように０．３〜０．４ｍｍ程度あれば良く、薄肉厚部９は、折り曲げられても破断しない程度の肉厚、例えば、０．７〜１．０ｍｍ程度あれば良い。そして、図１（ａ）に示すように、薄肉厚部９を介して、ベース部材３を矢印方向に略１８０°折り曲げることでベース部材３の一側面３ａ，３ｂを互いに密着させて、図１（ｂ）に示す状態に変形すること、すなわち、溶着部５に装着された容器２０を、図２に示す直列状体から、図４に示す並列状態に、その配置態様を変更することが可能となっている。
【００３１】
この場合、ベース部材３には、薄肉厚部９を介して折り曲げた際、折り曲げ状態を保持する固定部と、固定部を係合させる係合部とが設けられている。具体的に、固定部は、一側面３ａの近傍に設けられる弾性変形可能な爪部材１１によって構成され、係合部は、爪部材１１が嵌り込むように、一側面３ｂの近傍に設けられた係止孔１２によって構成することが可能である。これにより、ベース部材３を、薄肉厚部９の部分を支点として、図１（ａ）の矢印方向に略１８０°折り曲げて、一側面３ａ，３ｂを密着させると、一対設けられた爪部材１１が広がって、対応する係止孔１２に入り込み、図４に示すように、容器２０の並列状態が維持されるようになる。
【００３２】
なお、固定部と係合部については、図１に示すような爪部材１１、係止孔１２以外にも種々変形することが可能である。例えば、一側面３ａ，３ｂのいずれか一方の面に、フランジや突起を設けておき、他方の面に、フランジが嵌入される長溝や突起が嵌入される凹部を設けた構成であっても良い。
【００３３】
上記したように構成される収容体１は、ベース部材３に対して、隣接する溶着部５が直列状に配置されているため、一度の溶着工程で複数の容器２０を同時に製造することが可能となる。すなわち、一度の溶着工程で、同時に複数の溶着部５に対して合成樹脂シートを溶着できることから、複数の容器を有する収容体の製造効率の向上が図れ、コストを低減することが可能となる。この場合、例えば、各容器２０を取着形成した後、上記した薄肉厚部９の部分を切断することで、容器毎に個々の収容体とすることも可能となり、製造効率が向上するようになる。
【００３４】
また、上記したように構成される収容体１は、１つのベース部材３に対して、複数の容器２０が設けられており、各容器に対応して注出口７が形成されているため、複数の収容物から必要なものを注出して使用するようなケースでは、収容物を予めグループ化しておくことが可能となる。従って、多数の収容体を複数個並べたり、個別に搬送する必要が無く、取扱上の利便性の向上が図れる。
【００３５】
また、外部装置等のケーシング（外部装置に対して着脱されるケーシングを含む）に対しても、容器２０毎に複数の収容物を収容した収容体１を装着することができるため、ケーシングの設置個数を減らしたり、容積を省スペース化することが可能となり、外部装置の小型化を図ることが可能となる。
【００３６】
さらに、薄肉厚部９を折り曲げることで、容器を直列状体から並列状態に変更できるため、搬送や外部装置のセッティング等に応じて、収容体１を最適な配置態様に設定することが可能となる。この場合、図３に示す底辺部分２１ｃを溶着しておき、隣接する容器２０間に、空洞状部分２５を形成しておくことで、収容体１を多数重ねて搬送したり、図４に示すように並列状にして使用する際に、空洞状部分２５がクッションの役目を果たし、容器２０に収容される収容物を保護することも可能となる。
【００３７】
上記した実施形態では、ベース部材３に対して、溶着部５を矢印Ｘ方向に沿って直列状に２箇所形成したが、溶着部の形成個数については限定されることはない。例えば、図９に示すように、直列状に４箇所形成しておくことで、より多数種類の収容物を１つの収容体１内に収容することが可能になる。また、このように構成しても、多数の容器２０は、一度の溶着工程で製造できるため、より製造コストを安くすることが可能となる。
【００３８】
なお、上述した構成において、ベース部材３の形状、薄肉厚部９の形成位置、折り曲げ方向やその角度、折り曲げた後の固定方法等、適宜変形することが可能である。
【００３９】
上記したような溶着工程によって製造される収容体については、例えば、図１０から図１２に示すように構成しても良い。これらの図は、収容体の別の実施形態を示しており、図１０は、最終的に製造される収容体を示す斜視図、図１１（ａ）は、収容体の構成を示す分解斜視図、図１１（ｂ）は、注出口及び溶着部の構成を示す分解斜視図、そして、図１２は、溶着部の構成を示す斜視図である。
【００４０】
本実施形態における収容体１の各容器は、上記した実施形態と同様、２枚の合成樹脂シートを重ねて溶着することで製造されるが、ベース部材３に対して、４つの容器２０Ａが装着された構成となっている。すなわち、ベース部材３の裏面に突出形成される溶着部５は、ベース部材３に対して直列状に２つ形成し、かつこれを並列状に形成した構成となっている。
【００４１】
この場合、４つの容器２０Ａは、上記した実施形態と同様、予め周囲が溶着された２枚の合成樹脂シートを、夫々の溶着部５に溶着することで製造される。すなわち、上記した実施形態と同様、図１１（ａ）に示すように、予め周囲が溶着された袋状になった２枚の合成樹脂シートの上端開口部分を、それぞれ直列状に配列された溶着部５を挟持するように被せ、各上辺部分を、図５から図８で示したようなヒートバー等で溶着することで、より効率的に複数の容器を有する収容体を一体的に製造することが可能である。
【００４２】
また、本実施形態の注出口１７は、ベース部材３から上方に突出形成されており、首部１７ａの上方に円筒状に形成された口部１７ｂと、この口部１７ｂに被着される冠体１７ｃを備えている。このような注出口１７は、口部１７ｂ内に、円板状で中央部分が上方に向けて突出するように湾曲した弾性体（図示せず）を封入し、冠体１７ｃを被着することで弾性体を押圧し、口部１７ｂの内周面に圧接させるようになっている。
【００４３】
冠体１７ｃには、収容物を充填したり、注出するための針を刺し込む薄肉厚部１７ｄが形成されており、針を引き抜くことで、上記した実施形態と同様、弾性体の押圧力によって、針の刺し込み部分が閉塞されるようになっている。
【００４４】
以上のように、ベース部材３に装着される容器の配置態様や、注出口の構成については、適宜変形することが可能である。また、本実施形態のように、ベース部材３については、薄肉厚部を形成することなく、折り曲げられないように構成されていても良い。さらに、上記した注出口については、上記した第１の実施形態と同様、ベース部材３の表面から突出しない注出口７としても良い（図１３参照）。
【００４５】
以上、本発明の実施の形態について説明したが、本発明は、上記した実施形態に限定されることはなく、種々変形することが可能である。例えば、溶着部や薄肉厚部の構成、及びそこに装着される容器の構成、容器の配置態様、注出口の構成等については適宜変形することが可能であり、また、それに応じてベース部材の構成も適宜変形することが可能である。また、容器に対する収容物の充填方法についても、適宜変形することが可能である。
【００４６】
また、容器を構成する２枚の合成樹脂シートについては、その周囲を溶着する順番については特に限定されることはない。また、ベース部材に直列状に設けられる溶着部は、直線上に配列されていても良いし、ヒートバーを用いて溶着する際、一体的に押圧処理ができる程度に湾曲したり屈曲した状態にあっても良い。
【図面の簡単な説明】
【００４７】
【図１】本発明に係る収容体のベース部材の構成を示しており、（ａ）は、溶着部を有するベース部材の構成を示す斜視図、（ｂ）は、ベース部材を折り曲げた状態を示す斜視図。
【図２】ベース部材に容器を装着して収容体となった状態を示す斜視図。
【図３】図２に示す収容体において溶着部を示した側面図。
【図４】図２に示す収容体のベース部材を折り曲げた状態を示す図。
【図５】図２に示す収容体を作成する製造工程を示す図であり、溶着装置にベース部材を係合し、周囲が溶着された合成樹脂シートをセットした状態を示す図。
【図６】（ａ）及び（ｂ）は、溶着部に対する溶着工程を順に示す図、（ｃ）は、溶着部に溶着された合成樹脂シートの溶着状態を示す側面図。
【図７】（ａ）及び（ｂ）は、溶着部以外の上辺部分に対する溶着工程を順に示す図、（ｃ）は、合成樹脂シートの溶着状態を示す側面図。
【図８】（ａ）及び（ｂ）は、上辺部分が溶着された合成樹脂シートの冷却工程を順に示す図。
【図９】ベース部材の変形例を示す斜視図。
【図１０】収容体の別の実施形態を示す斜視図。
【図１１】図１０に示す収容体を示す図であり、（ａ）は、収容体の構成を示す分解斜視図、（ｂ）は、注出口及び溶着部の構成を示す分解斜視図。
【図１２】溶着部の構成を示す斜視図。
【図１３】注出口の変形例を示す図。
【符号の説明】
【００４８】
１  収容体
３  ベース部材
５  溶着部
７，１７  注出口
９  薄肉厚部
２０，２０Ａ  容器
２１Ａ，２１Ｂ  合成樹脂シート（シート部材）
【図１】
2010115903.tif 000003
【図２】
2010115903.tif 000004
【図３】
2010115903.tif 000005
【図４】
2010115903.tif 000006
【図５】
2010115903.tif 000007
【図６】
2010115903.tif 000008
【図７】
2010115903.tif 000009
【図８】
2010115903.tif 000010
【図９】
2010115903.tif 000011
【図１０】
2010115903.tif 000012
【図１１】
2010115903.tif 000013
【図１２】
2010115903.tif 000014
【図１３】
2010115903.tif 000015